(57)【要約】【課題】委託作業等の実施中に扉の開錠理由等の部屋管理情報を簡易に周知できる表示装置及びその管理システムを提供すること。【解決手段】表示装置１０は、部屋の出入り口に設けられた施錠可能な扉１の表面に着脱自在に設置され、扉１の開錠理由、開錠時間、施錠予定時間及び開錠中の部屋の数等の部屋管理情報を表示するマグネットシート１０ａを備える。マグネットシート１０ａの表面には、開錠理由表示部１１と、開錠時間表示部１２と、施錠予定時間表示部１３と、開錠中の部屋の数に対応する通し番号１４と、が設けられている。開錠時間表示部１２及び施錠予定時間表示部１３には、手指で回動可能な短針１５ａ及び長針１５ｂと文字盤部１５ｃとを有し、任意の時刻を指示可能な時計盤１５，１５を備える。表示装置１０には、ＩＣタグ２５が内蔵されている。【選択図】図１
2010145799.tif 000002
【特許請求の範囲】
【請求項１】
部屋の出入り口に設けられた施錠可能な扉又はドアノブに着脱自在に設置され、当該扉の開錠理由、開錠時間、施錠予定時間等の部屋管理情報を表示する表示部を備えることを特徴とする表示装置。
【請求項２】
前記表示部は、マグネットシートにより形成されると共に、手指で回動可能な短針及び長針と文字盤部とを有し任意の時刻を指示可能な時計盤を備えることを特徴とする請求項１に記載の表示装置。
【請求項３】
前記ドアノブに吊り下げ可能な係止部を有すると共に、前記表示部を着脱可能な磁性体部を有するドアノブ用係止プレートを更に備えることを特徴とする請求項２に記載の表示装置。
【請求項４】
前記部屋管理情報は、開錠中の前記部屋の数に対応する通し番号を含むことを特徴とする請求項１から３のいずれかに記載の表示装置。
【請求項５】
前記部屋管理情報を記憶され無線通信可能なＩＣタグを備えることを特徴とする請求項１から４のいずれかに記載の表示装置。
【請求項６】
請求項５に記載の表示装置を用いて前記部屋管理情報を管理する施設に適用される表示装置の管理システムであって、
前記ＩＣタグとの通信によって前記部屋管理情報の読み取り又は書き込みを行うＩＣタグリーダライタと、
前記施設の出入り口に配設されたアンテナに接続され、当該アンテナと前記ＩＣタグとの通信結果を出力する通信装置と、
警報を発生する警報装置と、
前記ＩＣタグリーダライタ及び前記通信装置の動作を制御すると共に、当該ＩＣタグリーダライタ及び当該通信装置からの通信結果に基づいて前記表示装置が前記施設の外部へ持ち出されると判断した場合に前記警報装置を起動する制御装置と、
を備えることを特徴とする表示装置の管理システム。
【請求項７】
携帯可能に構成され、前記扉又は前記ドアノブに設置された前記表示装置の前記ＩＣタグとの通信によって入所手続時に予め記憶された前記部屋管理情報を読み取り、
読み取った当該部屋管理情報が、前記表示部に現在表示されている前記部屋管理情報と一致しているか否かを判断する携帯用ＩＣタグリーダを更に備えることを特徴とする請求項６に記載の表示装置の管理システム。
【発明の詳細な説明】
【技術分野】
【０００１】
本発明は、委託作業等の実施中に扉の開錠理由等の部屋管理情報を簡易に周知できる表示装置及びその管理システムに関する。
【背景技術】
【０００２】
従来より、発電所等の施設においては、所定の委託業務（例えば、メンテナンス作業や清掃作業等）が実施されている。委託業者は、予め施設側に業務内容を申請した後に、該当する部屋の扉を開錠してもらい、委託業務作業を行っている。
【０００３】
したがって、上記作業中における扉の開錠は、予め施設側の入所受付担当者（例えば、総務担当者）等から了承されており双方の合意事項であるので、当該開錠理由や作業時間等を扉やドアノブ等に明示していないことが多い。
【０００４】
なお、扉の施錠状態を知らせる従来技術として種々のものが提案されているが、例えば次のものが公知である。すなわち、ドアの開閉等に用いられるドアノブがロック状態にあるときに、それを外部に知らせることができるようにした表示灯付きのドアノブ装置が提案されている（例えば、特許文献１参照）。
【特許文献１】実用新案登録第３０４５８８６号公報
【発明の開示】
【発明が解決しようとする課題】
【０００５】
上述したように、作業中における扉の開錠は、予め施設側の入所受付担当者等から了承されているので、巡回警備員等、施設側のすべての関係者に予め当該開錠理由が周知されていれば、通常時に施錠されている部屋の扉が開錠されていても何ら問題は起こらない。
【０００６】
しかしながら、このような委託作業は、同一施設内において同日に複数の部屋で実施されることがあり、作業が長時間に及ぶ場合も多々ある。したがって、このような複雑な状況を施設側のすべての関係者に周知徹底させることは容易ではない。
【０００７】
開錠理由や作業時間等は、扉やドアノブ等に明示されていないため、開錠理由等を把握していない巡回警備員やその他の施設職員等が、常時施錠されているはずの部屋の扉が開錠していることに気づき、保守点検や清掃作業中であるにもかかわらず、施錠してしまう場合があった。
【０００８】
また、委託作業が同一施設内において同日に複数の部屋で実施されている場合、開錠されている部屋の総数を把握するには、当該入所管理データを把握している入所受付担当者に問い合わせる必要がある等、容易ではなかった。
【０００９】
また、上記特許文献１に係る従来技術にあっては、扉の施錠状態を表示灯で表示しているだけであるので、上記開錠理由や開錠されている時間（作業時間）、開錠中の部屋数等の部屋管理情報を表示することはできなかった。
【００１０】
したがって、委託作業等の実施中に扉の開錠理由等の部屋管理情報を簡易に周知できる表示装置の提供が望まれていた。
【００１１】
また、このような表示装置が偽造されることや、故意又は過失等により表示装置が施設の外部に持ち出されるのを防止できる表示装置の管理システムの提供が望まれていた。
【００１２】
本発明は、上記に鑑みてなされたものであって、委託作業等の実施中に扉の開錠理由等の部屋管理情報を簡易に周知できる表示装置を提供することを目的とする。
【００１３】
また、本発明は、表示装置が偽造されることや、故意又は過失等により表示装置が施設の外部に持ち出されるのを防止できる表示装置の管理システムを提供することを目的とする。
【課題を解決するための手段】
【００１４】
上記目的を達成するため、本発明は、以下のような表示装置を提供する。
【００１５】
（１）  部屋の出入り口に設けられた施錠可能な扉又はドアノブに着脱自在に設置され、当該扉の開錠理由、開錠時間、施錠予定時間等の部屋管理情報を表示する表示部を備えることを特徴とする。
【００１６】
（１）の発明によれば、扉の開錠理由、開錠時間、施錠予定時間等の部屋管理情報を表示できるので、開錠理由等を把握していない巡回警備員やその他の施設職員等に簡易に周知できる。
【００１７】
（２）  （１）の発明においては、前記表示部は、マグネットシートにより形成されると共に、手指で回動可能な短針及び長針と文字盤部とを有し任意の時刻を指示可能な時計盤を備えることが好ましい。
【００１８】
（２）の発明によれば、表示装置を鉄製の扉等に容易に着脱できる。また、時刻表示を手指による回動操作で任意に設定できるので、時刻を筆記具等でマグネットシート等に記入する場合と比べて、当該筆記具等の消耗品が不要となり、管理が容易である。
【００１９】
（３）  （２）に記載の発明においては、前記ドアノブに吊り下げ可能な係止部を有すると共に、前記表示部を着脱可能な磁性体部を有するドアノブ用係止プレートを更に備えることが好ましい。
【００２０】
（３）の発明によれば、鉄製でない扉に対しても表示装置を容易に着脱することができる。
【００２１】
（４）  （１）から（３）のいずれか一つに記載の発明においては、前記部屋管理情報は、開錠中の前記部屋の数に対応する通し番号を含むことが好ましい。
【００２２】
（４）の発明によれば、所定の開錠理由により開錠されている部屋の総数を把握し易くできる。
【００２３】
（５）  （１）から（４）のいずれか一つに記載の発明においては、前記部屋管理情報を記憶され無線通信可能なＩＣタグを備えることが好ましい。
【００２４】
（５）の発明によれば、ＩＣタグによってきめ細かな部屋管理情報の読み出しと書き込み作業を非接触で実施でき、当該ＩＣタグに固有の情報を予め記憶させておくことにより、表示装置の偽造防止を図ることができる。
【００２５】
（６）  （５）に記載の表示装置を用いて前記部屋管理情報を管理する施設に適用される表示装置の管理システムであって、前記ＩＣタグとの通信によって前記部屋管理情報の読み取り又は書き込みを行うＩＣタグリーダライタと、前記施設の出入り口に配設されたアンテナに接続され、当該アンテナと前記ＩＣタグとの通信結果を出力する通信装置と、警報を発生する警報装置と、前記ＩＣタグリーダライタ及び前記通信装置の動作を制御すると共に、当該ＩＣタグリーダライタ及び当該通信装置からの通信結果に基づいて前記表示装置が前記施設の外部へ持ち出されると判断した場合に前記警報装置を起動する制御装置と、を備えることを特徴とする。
【００２６】
（６）の発明によれば、所定条件下で警報を発生することで、故意又は過失等により表示装置が施設の外部に持ち出されるのを防止することができる。
【００２７】
（７）  （６）に記載の発明においては、携帯可能に構成され、前記扉又は前記ドアノブに設置された前記表示装置の前記ＩＣタグとの通信によって入所手続時に予め記憶された前記部屋管理情報を読み取り、読み取った当該部屋管理情報が、前記表示部に現在表示されている前記部屋管理情報と一致しているか否かを判断する携帯用ＩＣタグリーダを更に備えることが好ましい。
【００２８】
（７）の発明によれば、警備員やその他の施設関係者（携帯用ＩＣタグリーダを携帯し得る関係者）等が携帯用ＩＣタグリーダを携帯していれば、当該携帯用ＩＣタグリーダによって表示装置のＩＣタグと通信を実行することにより、入所受付時に登録した部屋管理情報と、表示装置に現在表示されている部屋管理情報とが一致しているか否かを現場で容易に確認することができる。また、偽造された表示装置が扉に装着され、不正に開錠されていたとしても、警備員やその他の施設関係者等が携帯用ＩＣタグリーダによって当該偽造に係る表示装置と通信を試みることにより、正常に通信できないことを容易に把握でき、正当な手続によって貸与された表示装置でないことを現場で容易に判別することができる。
【発明の効果】
【００２９】
本発明によれば、委託作業等の実施中に扉の開錠理由等の部屋管理情報を簡易に周知できる表示装置を提供することができる。
【００３０】
また、本発明によれば、表示装置が偽造されることや、故意又は過失等により表示装置が施設の外部に持ち出されるのを防止できる表示装置の管理システムを提供することができる。
【発明を実施するための最良の形態】
【００３１】
以下に、本発明の実施形態を図面に基づいて詳細に説明する。なお、この実施形態により本発明が限定されるものではない。
【００３２】
この実施形態では、例えば発電所等の施設において所定の委託業務（例えば、メンテナンス作業や清掃作業等）を行う場合に使用される表示装置を例にして説明する。
【００３３】
図１は、本発明の実施形態に係る表示装置を示す正面図、図２は、表示装置の使用状態を示す正面図、図３は、時計盤を示す拡大断面図である。また、図４は、ドアノブ用係止プレートを示す正面図、図５は、ドアノブ用係止プレートの使用状態を示す正面図、図６は、ドアノブ用係止プレートの使用状態を示す断面図、図７は、図６のＡ部を示す拡大断面図である。
【００３４】
図１及び図２に示すように、表示装置１０は、部屋の出入り口に設けられた施錠可能な扉１の表面に着脱自在に設置されるものである。表示装置１０は、扉１の開錠理由、開錠時間、施錠予定時間及び開錠中の部屋の数等の部屋管理情報を表示する表示部としてのマグネットシート１０ａを備える。マグネットシート１０ａを用いたのは、鉄製の扉１に容易に着脱できるようにするためである。表面が鉄製でない扉１に対しては、後述のドアノブ用係止プレート１０ｂを用いて着脱可能に構成する。
【００３５】
マグネットシート１０ａは、長方形の薄いシート状に形成されている。マグネットシート１０ａの表面には、開錠理由を表示する開錠理由表示部（表示部）１１と、開錠時間を表示する開錠時間表示部（表示部）１２と、施錠予定時間を表示する施錠予定時間表示部（表示部）１３と、開錠中の部屋の数に対応する通し番号（部屋管理情報）１４と、が設けられている。
【００３６】
開錠理由表示部１１には、開錠理由が印刷等により表示され、例えば、「保安点検・清掃作業につき  開錠中」と表示されている。開錠時間表示部１２及び施錠予定時間表示部１３には、手指で回動可能な短針１５ａ及び長針１５ｂと文字盤部１５ｃとを有し、任意の時刻を指示可能な時計盤１５，１５を備える。また、それぞれの時計盤１５，１５の上部には、指示されている時刻の意味を表すために、「＜入所時・開錠＞」、「＜退所時・施錠＞」と印刷されている。
【００３７】
図１及び図３に示すように、時計盤１５の短針１５ａ及び長針１５ｂは、長さの異なる薄板片として形成され、互いに重ねられた一端を割りピン１６によってマグネットシート１０ａに回動自在に設けられている。
【００３８】
すなわち、割りピン１６の頭部１６ａから延びるピン部１６ｂ，１６ｂを、短針１５ａ、長針１５ｂ及びマグネットシート１０ａに挿通し、当該マグネットシート１０ａの裏面で折り曲げることで、短針１５ａ及び長針１５ｂをマグネットシート１０ａに対して回動自在に支持したものである。
【００３９】
マグネットシート１０ａは、部屋管理情報を記憶され、外部と無線通信可能なＩＣタグ２５を備えている。なお、ＩＣタグには、「ＲＦ−ＩＤ」、「非接触ＩＣチップ」、「ＩＤタグ」、「無線タグ」、「非接触タグ」等、様々な呼び方があるが、本明細書においてはこれらの用語を「ＩＣタグ」に統一して使用する。
【００４０】
ＩＣタグ２５は、トランジスタ、抵抗、コンデンサ等の素子を基板の上に装着することで上記部屋管理情報等の記録を可能とするＩＣチップと、無線により当該部屋管理情報を送受信するためのアンテナとが一体となったものである。すなわち、ＩＣタグ２５は、後述するＩＣタグリーダライタ３０、アンテナ３３、携帯用ＩＣタグリーダ４０等と電波を介して部屋管理情報等の通信が行われる。
【００４１】
なお、ＩＣタグ２５は、いわゆるパッシッブ型又はアクティブ型のいずれでもよいが、ＩＣタグ側での電源（電池）が不要なパッシブ型を使用することが好ましい。
【００４２】
次に、図４〜図６を参照して、ドアノブ用係止プレート１０ｂについて説明する。ドアノブ用係止プレート１０ｂは、鉄製でない扉１に対してマグネットシート１０ａを装着できるように構成したものである。
【００４３】
すなわち、ドアノブ用係止プレート１０ｂは、ドアノブ２を挿通する貫通穴２０ａが設けられた係止部２０を有すると共に、マグネットシート１０ａを着脱可能なマグネットシート（磁性体部）２１を有する。
【００４４】
ドアノブ用係止プレート１０ｂの係止部２０は、ドアノブ２の軸部２ａに引っ掛けられ、係止される。マグネットシート２１は、裏面をドアノブ用係止プレート１０ｂに接着されている。
【００４５】
次に、表示装置１０の管理システムについて図８及び図９等を参照して説明する。ここで、図８は、表示装置１０の管理システムを示すブロック図、図９は、表示装置１０の管理制御の一例を示すフローチャートである。
【００４６】
図８に示すように、表示装置１０の管理システムは、ＩＣタグ２５との通信によって部屋管理情報の読み取り又は書き込みを行うＩＣタグリーダライタ３０と、施設のゲート（出入り口）３２，３２に配設されたアンテナ３３に接続され、当該アンテナ３３とＩＣタグ２５との通信結果を出力する通信装置３４と、警報を発生する警報装置３５と、ＩＣタグリーダライタ３０及び通信装置３４の動作を制御すると共に、ＩＣタグリーダライタ３０及び通信装置３４からの通信結果に基づいて表示装置１０が施設の外部へ持ち出されると判断した場合に警報装置３５を起動する制御装置３６と、を備える。
【００４７】
また、表示装置１０の管理システムは、携帯用ＩＣタグリーダ４０を備える。携帯用ＩＣタグリーダ４０は、携帯可能に構成され、扉１又はドアノブ２に設置された表示装置１０のＩＣタグ２５との通信によって、入所手続時に予め記憶された部屋管理情報を読み取り、読み取った当該部屋管理情報が、表示部に現在表示されている部屋管理情報と一致しているか否かを判断するものである。
【００４８】
次に、表示装置１０の管理制御の一例について図８及び図９を参照して説明する。保安点検・清掃作業に係る委託業者が上記施設に入所する際には、所定の受付場所で表示装置１０を用いた受付手続が行われる。
【００４９】
表示装置１０は、予め、開錠理由の種類毎に複数用意されている。また、開錠する部屋の扉１が鉄製の場合には、図２に示すようにマグネットシート１０ａ単体からなる表示装置１０を用いる。一方、開錠する部屋の扉１が鉄製でない場合には、図５に示すようにマグネットシート１０ａと当該マグネットシート１０ａを装着したドアノブ用係止プレート１０ｂとからなる表示装置１０を用いる。
【００５０】
図９に示す制御は、制御装置３６（図８参照）によって実行される。図９に示すように、ステップＳ１０では、入所受付の手続の際に、委託作業者は、受付担当者（例えば、総務担当者や警備員等）に、部屋管理情報として少なくとも、開錠理由、開錠時間及び施錠予定時間を報告する。そして、受付担当者がその報告内容に基づいてＩＣタグリーダライタ３０を操作すると、ＩＣタグリーダライタ３０とＩＣタグ２５との通信が実行され、ステップＳ１１に移る。
【００５１】
ステップＳ１１では、上記通信結果を部屋管理情報の基本データとしてＩＣタグ２５に記憶させると共に、制御装置３６のメモリ（図示せず）にも記憶させる。また、必要に応じて、携帯用ＩＣタグリーダ４０にも上記基本データを記憶させる。ＩＣタグ２５に部屋管理情報を記憶させたならば、当該表示装置１０を委託業者に貸与する。
【００５２】
また、受付担当者又は表示装置１０を貸与された委託作業者は、時計盤１５，１５の短針１５ａ及び長針１５ｂを手指で回動することにより、上記開錠時間及び施錠予定時間を指示する。
【００５３】
そして委託業者は、例えば、図２に示すように、開錠された鉄製の扉１の所定箇所に、表示装置１０のマグネットシート１０ａ（図１に示した表示装置１０と同一のものである）を貼付する。この貼付は、マグネットシート１０ａの磁力を利用しているので、容易に行うことができる。
【００５４】
このように、表示装置１０を開錠中の扉１に掲げることにより、例えば、図１に示す表示装置１０では、開錠理由が「保安点検・清掃作業中」であることが一目で分かる。また、開錠時間が「２時」、施錠予定時間が「４時」であることも一目で分かる。
【００５５】
更に、上記開錠理由により開錠されている部屋の通し番号１４が、「Ｎｏ．００１」と表示されているので、当該時間帯に開錠されている部屋は「一つ」であるということが一目で分かる。
【００５６】
したがって、入所受付担当者以外の者であって当該開錠理由等を周知されていない警備員やその他の施設関係者（扉１が開錠されていることを認識可能な施設関係者）等であっても、この表示装置１０を見れば、当該部屋の開錠理由等を容易に把握することができる。よって、正当な理由で開錠中であるにもかかわらず、事情を知らない上記警備員等が誤って施錠してしまうことがない。
【００５７】
続いて、上記委託作業の終了後における制御例を説明する。
委託作業が終了したら、委託業者は、扉１から表示装置１０を取り外す。そして、所定の場所で受付担当者等に当該表示装置１０を返却し、退所のための手続を行った後、ゲート３２，３２を通過して退所する。
【００５８】
退所受付担当者は、ＩＣタグリーダライタ３０の操作によって、返却された表示装置１０のＩＣタグ２５との通信を実行し、入所時に記憶された基本データと照合する等、所定の退所手続を行う。
【００５９】
ステップＳ１２では、退所受付時にＩＣタグリーダライタ３０とＩＣタグ２５との通信が実行され、表示装置１０が返却されたか否かが判断される。ステップＳ１２の判断がＹＥＳであるならば、委託業者は正当な退所手続を経ているので、ゲート３２，３２を何ら問題なく通過でき、表示装置１０の管理制御を終える。
【００６０】
一方、ステップＳ１２の判断がＮＯであるならば、委託業者は正当な退所手続を経ていないこととなり、ステップＳ１３に移る。例えば、委託業者が表示装置１０を携帯したまま返却せずにゲート３２，３２を通過した場合が該当する。
【００６１】
委託業者が表示装置１０を携帯したままゲート３２，３２を通過すると、ゲート３２，３２に設けられたアンテナ３３と当該表示装置１０のＩＣタグ２５との通信結果が通信装置３４によって出力される。
【００６２】
すると、ステップＳ１３では、制御装置３６は、ＩＣタグリーダライタ３０及び通信装置３４からの通信結果に基づいて表示装置１０が施設の外部へ不正に持ち出されると判断し、警報装置３５を起動してアラーム音等を発生させる。これにより、表示装置１０が施設の外部へ不正に持ち出されるのを防止することができる。
【００６３】
以上のように、この実施形態に係る表示装置１０によれば、扉１の開錠理由、開錠時間、施錠予定時間等の部屋管理情報を表示できるので、開錠理由等を把握していない巡回警備員やその他の施設関係者等に対しても簡易に周知できる。
【００６４】
特に、表示装置１０は、時刻指示を手指で設定可能な時計盤１５，１５を備えているので、時刻を筆記具等でマグネットシート１０ａ等に記入する場合と比べて、当該筆記具等の消耗品が不要となり、管理が容易である。
【００６５】
また、表示装置１０は、ドアノブ用係止プレート１０ｂを介することにより、鉄製でない扉１に対しても容易に着脱することができる。
【００６６】
また、表示装置１０は、開錠中の部屋の数に対応する通し番号１４を表示しているので、所定の開錠理由により開錠されている部屋の総数を把握し易くできる。
【００６７】
また、表示装置１０が扉１に装着されている場合、警備員やその他の施設関係者（携帯用ＩＣタグリーダ４０（図８参照）を携帯し得る関係者）等が携帯用ＩＣタグリーダ４０を携帯していれば、当該携帯用ＩＣタグリーダ４０によって表示装置１０のＩＣタグ２５と通信を実行することにより、入所受付時に登録した部屋管理情報と、表示装置１０の時計盤１５に現在表示されている時刻情報等とが一致しているか否かを現場で容易に確認することができる。この場合、例えば、予定していた作業時間をオーバーして作業しているために施錠時間が遅延している等の判断を容易に行うことができる。
【００６８】
また、表示装置１０には、ＩＣタグ２５が内蔵されているので、偽造は困難である。仮に、偽造された表示装置が扉１に装着され、不正に開錠されていたとしても、上記警備員やその他の施設関係者等が携帯用ＩＣタグリーダ４０を携帯していれば、当該携帯用ＩＣタグリーダ４０によって当該偽造に係る表示装置と通信を試みることにより、正常に通信できないことを容易に把握でき、正当な手続によって貸与された表示装置でないことを現場で容易に判別することができる。このため、犯罪行為にも迅速に対応できる。
【００６９】
なお、上記実施形態においては、ドアノブ用係止プレート１０ｂにマグネットシート１０ａを着脱できる強磁性体としてマグネットシート２１を設けるものとして説明したが、これに限定されず、マグネットシート１０ａが着く磁性体であればよく、例えば、薄い鉄板等でもよい。
【００７０】
また、上記実施形態においては、部屋管理情報として、開錠理由、開錠時間、施錠予定時間、開錠中の部屋の数に対応する通し番号１４等を表示するものとして説明したが、これに限定されない。すなわち、施設に応じて管理すべき情報は異なるので、表示すべき上記部屋管理情報の種類を減らしてもよいし、増やしてもよい。
【００７１】
また、上記実施形態においては、ＩＣタグ２５を内蔵した表示装置１０について説明したが、これに限定されず、ＩＣタグを備えていない表示装置を構成することもできる。
【００７２】
また、上記実施形態の表示装置１０の管理システムにおいては、携帯用ＩＣタグリーダ４０を備えるものとして説明したが、必ずしもこれを備えなくてもよい。
【００７３】
また、上記実施形態においては、開錠理由表示部１１には、開錠理由が印刷等により表示され、開錠時間表示部１２及び施錠予定時間表示部１３には、手指で回動可能な短針１５ａ及び長針１５ｂと文字盤部１５ｃとを有する時計盤１５，１５を備えるものとして説明したが、これに限定されない。
【００７４】
例えば、開錠理由、開錠時間、施錠予定時間等の部屋管理情報の全部又は一部を表示可能な液晶表示装置や駆動用電池等を表示装置に備えるように構成し、当該液晶表示装置の表示を、上記ＩＣタグ２５を介して制御するように構成してもよい。
【００７５】
また、上記実施形態においては、表示装置１０のマグネットシート１０ａに開錠理由や担当者及び連絡先（電話番号等）等の所定の情報をメモとして記入可能なメモ記入欄を設けていないが、これに限定されず、マグネットシート１０ａに当該メモ記入欄を設けてもよい。或いは、ドアノブ用係止プレートに上記メモ記入欄を設けてもよい。これらの場合、表示装置１０に所定の筆記具等が備え付けられていることが好ましい。
【図面の簡単な説明】
【００７６】
【図１】本発明の実施形態に係る表示装置を示す正面図である。
【図２】表示装置の使用状態を示す正面図である。
【図３】時計盤を示す拡大断面図である。
【図４】ドアノブ用係止プレートを示す正面図である。
【図５】ドアノブ用係止プレートの使用状態を示す正面図である。
【図６】ドアノブ用係止プレートの使用状態を示す断面図である。
【図７】図６のＡ部を示す拡大断面図である。
【図８】表示装置の管理システムを示すブロック図である。
【図９】表示装置の管理制御の一例を示すフローチャートである。
【符号の説明】
【００７７】
１  扉
２  ドアノブ
１０  表示装置
１０ａ  マグネットシート（表示部）
１０ｂ  ドアノブ用係止プレート
１１  開錠理由表示部（表示部）
１２  開錠時間表示部（表示部）
１３  施錠予定時間表示部（表示部）
１４  通し番号（部屋管理情報）
１５  時計盤
１５ａ  短針
１５ｂ  長針
１５ｃ  文字盤部
２０  係止部
２１  マグネットシート（磁性体部）
２５  ＩＣタグ
３０  ＩＣタグリーダライタ
３２  ゲート（出入り口）
３３  アンテナ
３４  通信装置
３５  警報装置
３６  制御装置
４０  携帯用ＩＣタグリーダ
【図１】
2010145799.tif 000003
【図２】
2010145799.tif 000004
【図３】
2010145799.tif 000005
【図４】
2010145799.tif 000006
【図５】
2010145799.tif 000007
【図６】
2010145799.tif 000008
【図７】
2010145799.tif 000009
【図８】
2010145799.tif 000010
【図９】
2010145799.tif 000011